(57)【要約】【課題】寸法や形状の異なる接続対象物であっても電気接続できるようにする。【解決手段】電気接点１を備えた接続対象物Ｓを挟持する一対の挟持片３と、電気接点１に接触して導通自在で且つ一対の挟持片３の一方の挟持片３の挟持表面から出退自在な通電接点２と、一対の挟持片３の挟持端部３ｂどうしが近接状態にあるときは通電接点２を挟持表面から引退させる一方、一対の挟持片３の挟持端部３ｂどうしが離間するに伴って通電接点２を挟持表面から突出させる接点切替手段Ｐと、外部の電気供給系と通電接点２とを導通接続自在な接続部とを設け、一対の挟持片３で接続対象物Ｓを挟持するに伴って接続対象物Ｓの端部を受け止めて電気接点１と通電接点２とが接触状態となるように接続対象物Ｓを位置決めする受止部５を、何れか一方の挟持片３に設けて構成してある。【選択図】図１
2012019457.tif 000002
【特許請求の範囲】
【請求項１】
電気接点を備えた接続対象物を挟持する一対の挟持片と、
前記電気接点に接触して導通自在で且つ前記一対の挟持片の一方の挟持片の挟持表面から出退自在な通電接点と、
前記一対の挟持片の挟持端部どうしが近接状態にあるときは前記通電接点を前記挟持表面から引退させる一方、前記一対の挟持片の挟持端部どうしが離間するに伴って前記通電接点を前記挟持表面から突出させる接点切替手段と、
外部の電気供給系と前記通電接点とを導通接続自在な接続部とを設け、
前記一対の挟持片で前記接続対象物を挟持するに伴って前記接続対象物の端部を受け止めて前記電気接点と前記通電接点とが接触状態となるように前記接続対象物を位置決めする受止部を、何れか一方の挟持片に設けて構成してある電気接続装置。
【請求項２】
前記接点切替手段は、前記通電接点を前記一方の挟持片の表面から突出させて前記電気接点に接触自在な状態に付勢する接点付勢手段と、
前記接点付勢手段より強い付勢力で前記一対の挟持片どうしを挟持付勢する挟持付勢手段と、
前記一対の挟持端部どうしが近接状態にあるときに前記挟持付勢手段の付勢力を前記接点付勢手段に抗力として伝達する伝達部とで構成してある請求項１に記載の電気接続装置。
【請求項３】
前記受止部は、前記接続対象物に対する位置決め時に、前記挟持端部とは別の位置で前記接続対象物の端部を支持する支持部を兼用している請求項１又は２の何れか一項に記載の電気接続装置。
【発明の詳細な説明】
【技術分野】
【０００１】
本発明は、電気接点を備えた接続対象物（例えば、携帯電話やその他ＩＴ機器等の充電端子を備えたものや、メモリーカードの接続装置や、エッジを備えた各種基板等）の電気接点に対して通電接点を接触させて、接点相互の導通を図る電気接続装置に関する。
【背景技術】
【０００２】
従来、この種の電気接続装置としては、携帯電話の充電台を例に挙げて説明すれば、図５に示すように、接続対象物である携帯電話Ｓ１の端部を嵌合させて充電を行うものがあった。
装置本体Ｈには、電気接点１が設けられた携帯電話Ｓ１の端部を受け入れて保持する凹部２０を備え、凹部２０に嵌入させた携帯電話Ｓ１の前記電気接点１に接触する通電接点２を、凹部２０内の該当位置に備えてある（例えば、特許文献１参照）。
従って、前記凹部２０は、固有の携帯電話Ｓ１の端部形状にのみ合致する形状に形成してあり、該当する携帯電話専用の充電台として構成してあった。
【先行技術文献】
【特許文献】
【０００３】
【特許文献１】実用新案登録第３０７６４８０号公報（図１、図２）
【発明の概要】
【発明が解決しようとする課題】
【０００４】
上述した従来の電気接続装置によれば、前記凹部内に携帯電話の端部を嵌合させることで充電させる構造となっているから、前記凹部の形状に端部の形状が合致する携帯電話しか受け入れることができず、異なった形状の接続対象物と電気接続することができない問題点があった。
【０００５】
従って、本発明の目的は、上記問題点を解消し、寸法や形状の異なる接続対象物であっても電気接続できる電気接続装置を提供するところにある。
【課題を解決するための手段】
【０００６】
本発明の第１の特徴構成は、電気接点を備えた接続対象物を挟持する一対の挟持片と、前記電気接点に接触して導通自在で且つ前記一対の挟持片の一方の挟持片の挟持表面から出退自在な通電接点と、前記一対の挟持片の挟持端部どうしが近接状態にあるときは前記通電接点を前記挟持表面から引退させる一方、前記一対の挟持片の挟持端部どうしが離間するに伴って前記通電接点を前記挟持表面から突出させる接点切替手段と、外部の電気供給系と前記通電接点とを導通接続自在な接続部とを設け、前記一対の挟持片で前記接続対象物を挟持するに伴って前記接続対象物の端部を受け止めて前記電気接点と前記通電接点とが接触状態となるように前記接続対象物を位置決めする受止部を、何れか一方の挟持片に設けて構成してあるところにある。
【０００７】
本発明の第１の特徴構成によれば、前記一対の挟持片によって接続対象物を挟持することで、如何なる接続対象物をも装置本体で保持することができる。従って、接続対象物の寸法、特に、一対の挟持片による挟持方向（遠近方向）に沿った方向の寸法が一定していない異なる接続対象物であっても、それぞれに対応して前記一対の挟持片で挟持することができる。
また、前記受止部を設けてあるから、前記挟持片によって前記接続対象物を挟持するに伴って前記電気接点と前記通電接点とが接触状態となるように前記受止部で前記接続対象物を位置決めすることができる。
また、接続部によって他部の電気供給系と通電接点とを導通接続させることができる。
その結果、前記挟持片と受止部とによって、装置本体の所定位置に前記接続対象物を正確に保持することができ、且つ、他部の電気供給系から供給される電気を、前記通電接点から接続対象物の電気接点に導通させるように電気接続することができる。
従って、従来のように、異なった形状の接続対象物それぞれに、専用の電気接続装置を用意する必要がなくなり、一台で、形状の異なった複数の接続対象物に対応することが可能となり、電気接続装置としての汎用性が向上する。
また、前記受止部は、例えば、挟持片の一部に設ける等の構造を採用することが可能であるから、挟持片の一部に受止部を形成すれば、部品点数を少なくできて、コストダウンを図ることが可能である。
また、前記一対の挟持片の挟持端部どうしが近接状態にある時、即ち、接続対象物を挟持片によって挟持していない（電気接続を行ってない）時には、前記接点切替手段によって、通電接点を挟持表面から引退させることができ、他物が不用意に前記一方の挟持片の表面に当接しても、通電接点が接触するのを防止でき、他物によって通電接点を変形させたり、感電やショートするのを防止できる。
また、挟持片で接続対象物を挟持して電気接続する際には、前記一対の挟持片の挟持端部どうしが離間するに伴って前記通電接点を前記挟持表面から突出させるから、接続対象物の電気接点に接触させて電気接続することができる。
【０００８】
本発明の第２の特徴構成は、前記接点切替手段は、前記通電接点を前記一方の挟持片の表面から突出させて前記電気接点に接触自在な状態に付勢する接点付勢手段と、前記接点付勢手段より強い付勢力で前記一対の挟持片どうしを挟持付勢する挟持付勢手段と、前記一対の挟持端部どうしが近接状態にあるときに前記挟持付勢手段の付勢力を前記接点付勢手段に抗力として伝達する伝達部とで構成してあるところにある。
【０００９】
本発明の第２の特徴構成によれば、前記電気接続を行う時には、接点付勢手段による付勢力で、電気接点を挟持表面から突出付勢させて、確実に接点どうしの導通を図ることができる。
また、接続対象物を挟持する時には、挟持付勢手段による付勢力を一対の挟持片に作用させて、より確実に接続対象物の挟持を行うことができる。
更には、前記電気接点の作用状態と非作用状態との切替を、専用の付勢手段を用意しなくても、前記伝達部によって挟持付勢手段の付勢力を有効に利用しながら実施することができる。
即ち、前記一対の挟持端部どうしが近接状態にある（電気接続を行ってない）時には、前記伝達部によって前記挟持付勢手段の付勢力を前記接点付勢手段に抗力として伝達することができ、接点付勢手段より強い挟持付勢手段の付勢力によって電気接点を挟持表面から引退させた非作用状態に切り替えることができる。
その結果、専用の付勢手段を設けなくても電気接点の切替が実施できるようになり、コストダウンを図ることができる。
【００１０】
本発明の第３の特徴構成は、前記受止部は、前記接続対象物に対する位置決め時に、前記挟持端部とは別の位置で前記接続対象物の端部を支持する支持部を兼用しているところにある。
【００１１】
本発明の第３の特徴構成によれば、一対の挟持片で接続対象物を挟持する際に、挟持端部のみによって接続対象物を挟持するのみならず、支持部を兼用する前記受止部によっても接続対象物を支持することができ、より安定した保持状態を維持できる。また、その支持部は受止部が兼用しているから、部品点数の増加を防止し、コストダウンを図ることができる。
【図面の簡単な説明】
【００１２】
【図１】充電装置の使用状況を示す斜視図
【図２】充電装置の分解斜視図
【図３】充電装置の側面視断面図
【図４】充電装置の側面視断面図
【図５】従来の充電装置の斜視図
【発明を実施するための形態】
【００１３】
以下に本発明の実施の形態を図面に基づいて説明する。尚、図面において従来例と同一の符号で表示した部分は、同一又は相当の部分を示している。
【００１４】
図１〜４は、本発明の電気接続装置の一実施形態である携帯電話Ｓ１（接続対象物Ｓの一例）用の充電装置Ｊを示すものである。
【００１５】
接続対象の携帯電話Ｓ１には、図１に示すように、その裏面側の端部に充電の際に用いられる一対の電気接点１が設けられている。前記携帯電話Ｓ１は、前記一対の電気接点１に、当該充電装置Ｊの一対の通電接点２を各別に接触させて導通接続することで充電を実施できるように構成されている。
【００１６】
前記充電装置Ｊは、図２に示すように、前記携帯電話Ｓ１の前記電気接点１を設けた端部を挟持する一対の挟持片３と、前記電気接点１に接触して導通自在な通電接点２と、他部の電気供給系と前記通電接点２とを導通接続自在な接続部４と、前記通電接点２を前記挟持片３の挟持表面３ｃから出退切替する接点切替手段Ｐと、前記一対の挟持片３で前記携帯電話Ｓ１を挟持する時に前記携帯電話Ｓ１を位置決めする受止部５とを、装置本体Ｈに設けて構成してある。
【００１７】
前記一対の挟持片３は、ケース部３Ａと、ケース部３Ａにヒンジ連結されたホルダー部３Ｂとで構成してある。両者とも、例えば、合成樹脂の成形によって構成することができる。
前記ケース部３Ａとホルダー部３Ｂとをヒンジ連結するヒンジ軸部６は、図２に示すように、前記ホルダー部３Ｂの長手方向のほぼ中間部にホルダー部３Ｂの一部として設けてあり、ケース部３Ａの軸受け部７ａにこのヒンジ軸部６を嵌合させることで、ヒンジ軸部６周りのケース部３Ａとホルダー部３Ｂとの相対的な揺動が可能となる。
一対の挟持片３の一端側どうしを近接方向に挟持することで、他端側どうしは前記ヒンジ軸部６周りに揺動しながら離間して隙間をつくり、前記携帯電話Ｓ１を受け入れる受入空間Ｖが形成される。
一対の挟持片３の一端側を操作端部３ａといい、他端側を挟持端部３ｂという。
また、ヒンジ軸部６には、前記操作端部３ａどうしを離間方向に付勢するコイルバネ
（挟持付勢手段に相当）６ａが外嵌状態に設けられており（図２〜４参照）、前記受入空間Ｖに携帯電話Ｓ１をセットした後、操作端部３ａどうしの挟持操作力を緩めると、コイルバネ６ａの付勢力の作用で、前記携帯電話Ｓ１を挟持端部３ｂどうしで挟持して、前記受入空間Ｖ内で保持することができる。
尚、当該実施形態においては、前記受入空間Ｖへの携帯電話Ｓ１の受入方向Ｕは、前記挟持端部３ｂ側から前記操作端部３ａ側に向く方向に設定されている。
【００１８】
前記ケース部３Ａは、平面視の形状は長方形で、長方形の幅や長さの寸法に比べて、高さ（厚み）寸法の小さな偏平形状に形成してあり、図２及び図４に示すように、厚み方向に分離自在な上ケース７と下ケース８とを、係合爪Ｎで一体連結して構成してある。
また、ケース部３Ａには、図３に示すように、前記通電接点２や前記接続部４や前記接点切替手段Ｐが設けられている。
【００１９】
前記上ケース７には、前記受入空間Ｖに受け入れた携帯電話Ｓ１の電気接点１に対応させた上面位置に、前記一対の通電接点２を、それぞれ表面から突出させたり、下方に引退させたりできる一対の第１窓部７ｂを設けてある。また、上ケース７の上面における、前記第１窓部７ｂと前記軸受け部７ａとの間の位置には、前記ホルダー部３Ｂに備えた下向きの一対の凸部９をそれぞれ挿通自在な一対の第２窓部７ｃを設けてある。
【００２０】
前記ケース部３Ａの中には、前記窓部７ｂを通してケース表面側へ突出して前記電気接点１に接触して導通を図れる通電接点２が内装されている。
前記通電接点２は、金属線材を屈曲形成して構成してあり、先端部が接点部２ａとして構成してあり、基端部は、前記接続部４に対する導通部２ｃとして構成してある。また、中間部には、前記接点部２ａを、前記第１窓部７ｂから突出させる方向に付勢力を作用させる突出用コイルバネ部（接点付勢手段に相当）２ｂが設けてある。
前記導通部２ｃは、前記接続部４に接続してあり、前記突出用コイルバネ部２ｂは、下ケース８に形成された収納凹部８ａ内に内嵌状態に設置されている。
【００２１】
前記通電接点２は、外力を受けてない状態においては、前記突出用コイルバネ部２ｂによる付勢力によって、接点部２ａが前記第１窓部７ｂからケース部３Ａの上面に突出するように構成されている。
通電接点２における前記接点部２ａと、突出用コイルバネ部２ｂとの間の部分は、前記第２窓部７ｃの下方に位置するように設置されており、第２窓部７ｃを通して上方からケース部３Ａ内に進入するホルダー部３Ｂの凸部９が当接できるように配置されている。
また、前記突出用コイルバネ部２ｂの付勢力は、一対の挟持片３どうしを挟持付勢する前記コイルバネ６ａの付勢力より弱く設定してある。
従って、前記受入空間Ｖに何もない通常時においては、図３に示すように、前記コイルバネ６ａによる付勢力によってホルダー部３Ｂの凸部９が、通電接点２に当接して下方側へ押圧するから、前記通電接点２はその付勢力に負けて、接点部２ａを第１窓部７ｂから下方へ引退する通常姿勢をとる。
一方、携帯電話Ｓ１を前記受入空間Ｖに進入させて充電を行う充電時においては、図４に示すように、前記挟持端部３ｂどうしを離間させるから、ホルダー部３Ｂの凸部９が上方に移動し、それに伴って、接点部２ａは突出用コイルバネ部２ｂの弾性復元力で前記第１窓部７ｂから上方に突出する充電姿勢をとる。
このように、前記ホルダー部３Ｂの凸部９は、前記一対の挟持端部３ｂどうしが近接状態にあるときに前記コイルバネ６ａの付勢力を前記突出用コイルバネ部２ｂに抗力として伝達しており、本発明に係る伝達部に相当する。
また、前記コイルバネ部６ａと突出用コイルバネ部２ｂと凸部９とによって、前記一対の挟持片３の挟持端部３ｂどうしが近接状態にあるときは前記通電接点２を挟持表面から引退させる一方、前記一対の挟持片３の挟持端部３ｂどうしが離間するに伴って前記通電接点２を挟持表面から突出させることができ、これらによって前記接点切替手段Ｐが構成されている。
【００２２】
前記ケース部３Ａとホルダー部３Ｂとからなる一対の挟持片部３における挟持端部３ｂには、携帯電話Ｓ１に接触する部分に、ゴムラバー１３が設けてあり、携帯電話Ｓ１の表面への傷付け防止を図る一方、充電時に、充電装置Ｊと携帯電話Ｓ１との位置ずれ防止を図り、より確実に充電を実施できるように構成されている。
【００２３】
前記ホルダー部３Ｂは、前述のとおり、挟持端部３ｂと操作端部３ａとの間にヒンジ軸部６が設けられ、更には、挟持端部３ｂとヒンジ軸部６との間に、前記凸部９が設けられている。
また、前記凸部９の基端部における前記受入空間Ｖ側の縁部は、前記受入空間Ｖでの携帯電話Ｓ１の位置決め用受止部５として構成されている。
即ち、受入空間Ｖに受け入れた携帯電話Ｓ１の前端部Ｓａを、前記受止部５に当接させることで、前記電気接点１と前記通電接点２とが対応した状態に位置決めされ、両者が接触状態となることで充電が実施される。
更には、前記受止部５は、前記接続対象物Ｓに対する位置決め時に、前記挟持端部３ｂとは別の位置で前記接続対象物Ｓの端部を支持する支持部１０をも兼用している。
【００２４】
充電装置Ｊによる携帯電話Ｓ１への充電操作の手順を説明する。
［１］一対の挟持片部３の操作端部３ａを近接方向に握って、挟持端部３ｂどうしを離間させた状態で、受入空間Ｖに、携帯電話Ｓ１を進入させる（図４参照）。
それに伴って、通電接点２がケース表面に突出し、充電可能な状態となる。
［２］携帯電話Ｓ１の前端部Ｓａを、ホルダー部３Ｂの受止部５に押し付けながら操作端部３ａの握持力を緩めると、通電接点２に電気接点１が対応した状態に位置決めされる
（図４参照）。
［３］携帯電話Ｓ１は、挟持端部３ｂで挟持固定されると共に、前記支持部１０によっても支持されるから、安定保持状態を維持しながら充電を継続することができる。
［４］充電が修了後、挟持片部３の操作端部３ａを再度握って、携帯電話Ｓ１を受入空間Ｖから除去する（図３参照）。それに伴って、通電接点２は、ケース部３Ａ内に引退するから、他物との接触のない状態を維持できる。
【００２５】
当該実施形態の充電装置Ｊによれば、電気接点１の位置が共通であれば、携帯電話Ｓ１の厚み寸法が異なるものであっても充電を行うことができ、汎用性が向上する。
また、電気接続を行ってない時には、通電接点２を引退させることができ、他物が不用意に挟持片３に当接しても、通電接点２が接触するのを防止でき、感電やショートを防止できる。
【００２６】
〔別実施形態〕
以下に他の実施の形態を説明する。
【００２７】
〈１〉  電気接続装置は、先の実施形態で説明した携帯電話Ｓ１の充電装置Ｊに限るものではなく、例えば、携帯電話以外のＩＴ機器等の充電端子を備えたものや、メモリーカードの接続装置や、エッジを備えた各種基板等の電気接点１に対して通電接点２を接触させて、接点相互の導通を図るものであればよく、それらを含めて電気接続装置と総称する。
〈２〉  挟持片や、その他の部分の材質や形状の変更は自由で、先の実施形態で説明したものに限るものではない。
例えば、前記受止部５は、ホルダー部３Ｂに設けてあることに限らず、ケース部３Ａに設けてあったり、ホルダー部３Ｂとケース部３Ａとの両方に設けてあってもよい。
また、前記接点付勢手段２ｂや、前記挟持付勢手段６ａは、先の実施形態で説明したコイルバネ部材によって構成するものに限らず、他の弾性付勢部材で構成してあってもよい。
【００２８】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００２９】
１      電気接点
２      通電接点
２ｂ    突出用コイルバネ部（接点付勢手段に相当）
３      挟持片
３ｂ    挟持端部
４      接続部
５      受止部
６ａ    コイルバネ（挟持付勢手段に相当）
９      凸部（伝達部）
１０    支持部
Ｐ      接点切替手段
Ｓ      接続対象物
【図１】
2012019457.tif 000003
【図２】
2012019457.tif 000004
【図３】
2012019457.tif 000005
【図４】
2012019457.tif 000006
【図５】
2012019457.tif 000007